【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
少なくとも一方に開口を有する筐体と、
前記筐体の内部に配置され内側の空間が収納空間として形成されたユニットベースと、
前記ユニットベースの収納空間に収納される収納位置と略長方形状に形成された音楽再生装置が載置可能とされ前記ユニットベースから一部が引き出された引出位置との間で移動されるトレイとを備え、
前記収納位置と前記引出位置において前記ユニットベースに対する前記トレイの向きが略９０°異なる向きとなるように前記トレイが前記ユニットベースに対して移動され、
前記筐体に回動自在に支持され前記筐体の開口を開閉するフロントパネルと、
前記筐体の内部における側方に配置され接続端子を有するコネクター部とを設け、
前記フロントパネルに前記筐体の開口を閉塞したときに前記コネクター部の接続端子に接続される端子部を設け、
前記引出位置において前記トレイに前記音楽再生装置を前記コネクター部の側方に縦長の状態で載置するようにした
車載用オーディオ機器。
【請求項２】
前記ユニットベース又は前記トレイの一方に第１の案内部と第２の案内部を設け、
前記ユニットベース又は前記トレイの他方に前記第１の案内部に摺動自在に支持される第１の被案内部と前記第２の案内部に摺動自在に支持される第２の被案内部とを設け、
前記第１の案内部又は前記第１の被案内部を直線状に形成し、
前記第２の案内部又は前記第２の被案内部を曲線状に形成し、
前記第１の被案内部と前記第２の被案内部がそれぞれ前記第１の案内部と前記第２の案内部に案内されて前記トレイが前記引出位置と前記収納位置の間で移動するようにした
請求項１に記載の車載用オーディオ機器。
【請求項３】
前記収納位置において前記コネクター部の後方に、前記トレイに載置された前記音楽再生装置が横長の状態で収納されるようにした
請求項１に記載の車載用オーディオ機器。
【請求項４】
前記トレイが前記収納位置から前記引出位置まで略円弧状の軌跡で移動される
請求項１に記載の車載用オーディオ機器。
【請求項５】
前記トレイを前記収納位置にロックするロックレバーと、
前記収納位置から前記引出位置へ向けての移動力を前記トレイに付与する付勢バネとを設け、
前記ロックレバーによる前記トレイの前記収納位置におけるロックが解除されたときに前記付勢バネの付勢力によって前記トレイが収納位置から前記引出位置に移動されるようにした
請求項１に記載の車載用オーディオ機器。
【手続補正２】
【補正対象書類名】明細書
【補正対象項目名】発明の名称
【補正方法】変更
【補正の内容】
【発明の名称】車載用オーディオ機器
【手続補正３】
【補正対象書類名】明細書
【補正対象項目名】０００１
【補正方法】変更
【補正の内容】
【０００１】
本発明は車載用オーディオ機器についての技術分野に関する。詳しくは、ユニットベースに対して移動されるトレイの引出位置と収納位置における向きを略９０°異なる向きとなるようにしてスペースの有効活用による小型化等を図る技術分野に関する。
【手続補正４】
【補正対象書類名】明細書
【補正対象項目名】００１０
【補正方法】変更
【補正の内容】
【００１０】
そこで、本発明車載用オーディオ機器は、上記した問題点を克服し、スペースの有効活用による小型化等を図ることを課題とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
車載用オーディオ機器は、上記した課題を解決するために、少なくとも一方に開口を有する筐体と、前記筐体の内部に配置され内側の空間が収納空間として形成されたユニットベースと、前記ユニットベースの収納空間に収納される収納位置と略長方形状に形成された音楽再生装置が載置可能とされ前記ユニットベースから一部が引き出された引出位置との間で移動されるトレイとを備え、前記収納位置と前記引出位置において前記ユニットベースに対する前記トレイの向きが略９０°異なる向きとなるように前記トレイが前記ユニットベースに対して移動され、前記筐体に回動自在に支持され前記筐体の開口を開閉するフロントパネルと、前記筐体の内部における側方に配置され接続端子を有するコネクター部とを設け、前記フロントパネルに前記筐体の開口を閉塞したときに前記コネクター部の接続端子に接続される端子部を設け、前記引出位置において前記トレイに前記音楽再生装置を前記コネクター部の側方に縦長の状態で載置するようにしたものである。
【手続補正１８】
【補正対象書類名】明細書
【補正対象項目名】００２４
【補正方法】変更
【補正の内容】
【００２４】
収納位置と引出位置においてユニットベースに対するトレイの向きが略９０°異なる向きとなるようにすることにより、トレイが引出位置にあるときの音楽再生装置の向きとトレイが収納位置にあるときの音楽再生装置の向きとが略９０°異なる向きとされる。また、引出位置においてトレイに音楽再生装置を縦長の状態で載置することにより、トレイが引出位置にあるときに該トレイの側方にコネクター部を設けるためのスペースを形成し易い。
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】変更
【補正の内容】
【００４４】
本発明車載用オーディオ機器は、少なくとも一方に開口を有する筐体と、前記筐体の内部に配置され内側の空間が収納空間として形成されたユニットベースと、前記ユニットベースの収納空間に収納される収納位置と略長方形状に形成された音楽再生装置が載置可能とされ前記ユニットベースから一部が引き出された引出位置との間で移動されるトレイとを備え、前記収納位置と前記引出位置において前記ユニットベースに対する前記トレイの向きが略９０°異なる向きとなるように前記トレイが前記ユニットベースに対して移動され、前記筐体に回動自在に支持され前記筐体の開口を開閉するフロントパネルと、前記筐体の内部における側方に配置され接続端子を有するコネクター部とを設け、前記フロントパネルに前記筐体の開口を閉塞したときに前記コネクター部の接続端子に接続される端子部を設け、前記引出位置において前記トレイに前記音楽再生装置を前記コネクター部の側方に縦長の状態で載置するようにしている。
【手続補正３５】
【補正対象書類名】明細書
【補正対象項目名】００４６
【補正方法】変更
【補正の内容】
【００４６】
また、引出位置においてトレイの一部のみがユニットベースから引き出されるため、引出位置におけるトレイの安定性の向上を図ることができる。また、トレイが引出位置にあるときに該トレイの側方にスペースを形成し易く、大型化を抑制した上でコネクター部をトレイの側方に配置することが可能である。
【手続補正３６】
【補正対象書類名】明細書
【補正対象項目名】００４７
【補正方法】変更
【補正の内容】
【００４７】
請求項２に記載した発明にあっては、前記ユニットベース又は前記トレイの一方に第１の案内部と第２の案内部を設け、前記ユニットベース又は前記トレイの他方に前記第１の案内部に摺動自在に支持される第１の被案内部と前記第２の案内部に摺動自在に支持される第２の被案内部とを設け、前記第１の案内部又は前記第１の被案内部を直線状に形成し、前記第２の案内部又は前記第２の被案内部を曲線状に形成し、前記第１の被案内部と前記第２の被案内部がそれぞれ前記第１の案内部と前記第２の案内部に案内されて前記トレイが前記引出位置と前記収納位置の間で移動するようにしている。
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】変更
【補正の内容】
【００５１】
請求項３に記載した発明にあっては、前記収納位置において前記コネクター部の後方に、前記トレイに載置された前記音楽再生装置が横長の状態で収納されるようにしている。また、請求項５に記載した発明にあっては、前記トレイを前記収納位置にロックするロックレバーと、前記収納位置から前記引出位置へ向けての移動力を前記トレイに付与する付勢バネとを設け、前記ロックレバーによる前記トレイの前記収納位置におけるロックが解除されたときに前記付勢バネの付勢力によって前記トレイが収納位置から前記引出位置に移動されるようにしている。
【手続補正４０】
【補正対象書類名】明細書
【補正対象項目名】００５２
【補正方法】変更
【補正の内容】
【００５２】
従って、車載用オーディオ機器の前後方向における小型化を図ることができる。また、機構の簡素化を図ることができる。